(57)【要約】【課題】通常の運用状態で想定しない操作が行われた場合であっても、不用意に解錠コードが変更することを確実に防止し、信頼性を高めたシリンダ錠の提供を目的とする。【解決手段】ドライバピン収容孔１と副ドライバピン収容孔２内に中心部に向けて付勢されるドライバピン３を収容したケース４と、  ケース４内に回転自在に挿入され、前記ドライバピン収容孔１及び副ドライバピン収容孔２に正対可能なタンブラ収容孔５内にタンブラピン６を収容したロータ７と、  副ドライバピン収容孔２とタンブラ収容孔５とが正対するロータ７のコード変更回転位置において双方向に移動自在なコード変更体８とを有するシリンダ錠であって、  前記コード変更回転位置が、施錠回転位置から解錠回転位置までの通常運用回転領域外に設定される。【選択図】  図３ 
2005076267.tif 000002
【特許請求の範囲】
【請求項１】
ドライバピン収容孔と副ドライバピン収容孔内に中心部に向けて付勢されるドライバピンを収容したケースと、
ケース内に回転自在に挿入され、前記ドライバピン収容孔及び副ドライバピン収容孔に正対可能なタンブラ収容孔内にタンブラピンを収容したロータと、
副ドライバピン収容孔とタンブラ収容孔とが正対するロータのコード変更回転位置において双方向に移動自在なコード変更体とを有するシリンダ錠であって、
前記コード変更回転位置が、施錠回転位置から解錠回転位置までの通常運用回転領域外に設定されるシリンダ錠。
【請求項２】
前記ロータには、通常運用回転領域のコード変更回転位置側終端においてケース側の検知ピンドライブピンに正対し、一端が解錠キーに凹設された検知凹部内に落ち込んだ際に他端がケースとの回転境界に位置する検知ピンが配置されるとともに、
ケース内周面には、前記検知ピンがケース側に突出した状態で該検知ピンの通常運用回転領域内での移動を許容するストローク規制溝が設けられる請求項１記載のシリンダ錠。
【発明の詳細な説明】
【技術分野】
【０００１】
本発明はシリンダ錠に関するものである。
【背景技術】
【０００２】
解錠コードが可変なシリンダ錠としては、従来、特許文献１に記載されたものが知られている。この従来例において、ロータを回転自在に保持するケースには、ロータの施解錠回転位置双方においてタンブラピンが正対するドライバピン収容孔が開設される。
【０００３】
ドライバピン収容孔にはロータ側に向けて付勢されるドライバピンが収容され、解錠回転位置においてドライバピン収容孔と、これに正対するタンブラ収容孔のいずれかにコードチェンジ体が収容される。
【０００４】
コード変更は、解錠回転位置で解錠キーを交換して行われる。コード変更に使用される変更前後の解錠キーのコード形成凹部の切り込み深さは、コードチェンジ体の径方向寸法に相当するだけ相違しており、変更後の解錠キーのコード形成凹部の切り込み深さが交換前のそれに比して浅いと、タンブラ収容孔内にあったコードチェンジ体はドライバピン収容孔内に押し込まれる。この結果、回転境界が、コードチェンジ体とドライバピンとの境界からコードチェンジ体とタンブラピンとの境界に変更される。
【０００５】
この状態で再び施錠回転位置まで回転させて解錠キーを抜去すると、以後、該当部位の切り込み深さが深い変更前の解錠キーではドライバピンがタンブラ収容孔内に侵入して回転境界を閉塞するために、ロータへの回転操作が禁止される。
【特許文献１】特許第３２６０７２４号公報
【発明の開示】
【発明が解決しようとする課題】
【０００６】
しかし、上述した従来例は、コード変更のためのロータ回転位置が解錠回転位置に設定されているために、通常の運用時における異常動作等によりコード変更動作が行われる可能性を全く排除することはできず、信頼性に欠けるという問題がある。
【０００７】
例えば、切り込み深さの浅いコード形成凹部を有する解錠キーで運用するように調整されたシリンダ錠のコードチェンジ体は、ドライバピン収容孔内に存在する。この状態で、何らかの原因で深い切り込みを有する解錠キーによってロータが回転操作された場合、解錠回転位置に達すると、ドライバピン収容孔内のコードチェンジ体はロータのタンブラ収容孔内に押し出され、以後、当該切り込み深さのコード形成凹部を備えた解錠キーによる回転操作が恒久的に許容されてしまう。
【０００８】
本発明は、以上の欠点を解消すべくなされたものであって、通常の運用状態で想定しない操作が行われた場合であっても、不用意に解錠コードが変更することを確実に防止し、信頼性を高めたシリンダ錠の提供を目的とする。
【課題を解決するための手段】
【０００９】
本発明によれば上記目的は、
ドライバピン収容孔１と副ドライバピン収容孔２内に中心部に向けて付勢されるドライバピン３を収容したケース４と、
ケース４内に回転自在に挿入され、前記ドライバピン収容孔１及び副ドライバピン収容孔２に正対可能なタンブラ収容孔５内にタンブラピン６を収容したロータ７と、
副ドライバピン収容孔２とタンブラ収容孔５とが正対するロータ７のコード変更回転位置において双方向に移動自在なコード変更体８とを有するシリンダ錠であって、
前記コード変更回転位置が、施錠回転位置から解錠回転位置までの通常運用回転領域外に設定されるシリンダ錠を提供することにより達成される。
【００１０】
ケース４と、ケース４内に回転自在に挿入されるロータ７には、ロータ７の所定回転位置において正対するドライバピン３とタンブラピン６とが装着され、タンブラピン６はドライバピン３を介してロータ７中心部に付勢される。この状態で適正な解錠コード形成凹部１０ａを備えた解錠キー１０が挿入されると、タンブラピン６は解錠キー１０によりロータ７外周部側に押し出され、タンブラピン６とドライバピン３との境界がロータ７の回転境界面に一致し、回転境界面が開放された解錠状態となる。
【００１１】
解錠コードの変更は、上記タンブラピン６とドライバピン３との境界にコード変更体８を挿入し、あるいは当該位置に挿入されているコード変更体８を取り除くことに行われ、図３（ａ）の下半分に示すように、タンブラピン６とドライバピン３との間にコード変更体８が介在した状態においては、回転境界は、図４（ａ）、図６（ａ）のように、コード変更体８の両端のいずれかが回転境界面に合致する２種類の切り込み深さの解錠コード形成凹部１０ａを備えた解錠キー１０により開放することができる。
【００１２】
この状態からコード変更体８を取り除くと、図６（ｂ）のように、タンブラピン６とドライバピン３との境界が回転境界に一致する深さの解錠コード形成凹部１０ａに操作可能な解錠コードが限定される。
【００１３】
コード変更体８をタンブラピン６とドライバピン３との境界に供給し、あるいは境界から撤去して保管するために、ケース４には、タンブラピン６と正対可能な副ドライバピン収容孔２が設けられ、コード変更操作は、ロータ７を一旦タンブラピン６が副ドライバピン収容孔２と正対する位置まで回転させた後、当該位置で解錠キー１０を新たな解錠コードを有するものに交換して行われる。
【００１４】
このコード変更位置を通常の運用状態では通過しない位置に設定する本発明において、通常運用状態でコード変更体８が移動する可能性は皆無となり、信頼性を高めることができる。
【００１５】
コード変更時にロータ７をコード変更位置まで回転操作可能とするためには、例えば、通常運用時のロータ７の回転位置を規制しているストッパをケース４外方から操作して解除する等、適宜手段が採用できるが、コード変更時にのみ使用するコード変更用キー１０Ｂを使用することにより操作性をより簡単にすることができる。
【００１６】
すなわち、この場合、
ロータ７には、通常運用回転領域のコード変更回転位置側終端においてケース４側の検知ピンドライブピン９に正対し、一端が解錠キー１０に凹設された検知凹部１１内に落ち込んだ際に他端がケース４との回転境界に位置する検知ピン１２が配置されるとともに、
ケース４内周面には、前記検知ピン１２がケース４側に突出した状態で該検知ピン１２の通常運用回転領域内での移動を許容するストローク規制溝１３が設けられるシリンダ錠が使用される。
【００１７】
コード変更用キー１０Ｂにはロータ７に装着された検知ピン１２の一端をケース４とロータ７との回転境界までドライブするための検知凹部１１が設けられる。この検知凹部１１の有無が通常の運用キー１０Ａとコード変更用キー１０Ｂとを区別する。
【発明の効果】
【００１８】
本発明によれば、通常の運用状態で想定しない操作が行われた場合であっても、不用意に解錠コードが変更することが確実に防止されるので、信頼性を高めることができる。
【発明を実施するための最良の形態】
【００１９】
図１に示すように、シリンダ錠は、前端に後述するロータ７への攻撃を防止するために硬質金属により形成されるアーマキャップ４ａが固定されたケース４と、このケース４内に回転自在に挿入されるロータ７とを有する。ロータ７の中心部には、長手通しにキー挿入溝７ａが設けられ、該キー挿入溝７ａから放射方向に複数のタンブラ収容孔５が開設される。
【００２０】
各タンブラ収容孔５にはコード可変タンブラとコード固定タンブラの２種類からなるタンブラピン６が移動自在に挿入される。コード可変タンブラは、球状のコード変更体８の積層が予定されるタンブラピン６であり、コード固定タンブラは、コード可変タンブラにコード変更体８を積層した長さ以外の長さ（この実施の形態においては、コード可変タンブラと、このコード可変タンブラにコード変更体８を積層した長さの中間の長さ）に設定される。固定タンブラは長さの異なる複数種が使用される。
【００２１】
一方、ケース４側には、ロータ７が施錠回転位置にある際に該ロータ７の各タンブラ収容孔５に正対可能なドライバピン収容孔１が穿孔される。ドライバピン収容孔１には、ドライバピン３とが摺動自在に挿入され、圧縮スプリングからなるタンブラスプリング１４によりロータ７内方に付勢される。
【００２２】
したがってこの実施の形態において、施錠回転位置においてロータ７のタンブラ収容孔５には、図３（ａ）の上半分に示すように、コード可変タンブラのみが収容された状態、図３（ａ）の下半分に示すように、コード可変タンブラにコード変更体８を積層した状態、さらに、図示しないが、コード固定タンブラのみが挿入された状態のいずれかをとり、解錠キー１０が挿入されない状態においては、いずれもドライバピン３がロータ７内に侵入し、ロータ７とケース４との回転境界が閉塞されるためロータ７への回転操作ができない。
【００２３】
この状態から図４（ａ）に示すように、正規の解錠コード形成凹部１０ａを備えた解錠キー１０を挿入すると、タンブラピン６はケース４側に解錠コード形成凹部１０ａに対応する寸法だけ押しやられ、タンブラ収容孔５にタンブラピン６のみが収容されている場合には、タンブラピン６とドライバピン３との境界がロータ７の回転境界に一致する。また、タンブラ収容孔５内にタンブラピン６とコード変更体８が収容されている場合には、コード変更体８とドライバピン３の境界、あるいはコード変更体８とタンブラピン６（コード可変タンブラ）との境界がロータ７の回転境界に一致する結果、全ての回転境界が開放され、ロータ７への回転操作が許容される。
【００２４】
シリンダ錠は、通常の運用においては、以上のように真正の解錠コード形成凹部１０ａを備えた解錠キー１０（運用キー１０Ａ）を使用して施錠回転位置と解錠回転位置との間を回転操作して使用され、施解錠回転位置間の回転ストロークを決定するために、ロータ７には検知ピン１２が挿入される。図４（ｂ）に示すように、検知ピン１２はタンブラピン６と同一形状に形成され、ケース４側には、施錠回転位置において上記検知ピン１２と正対する検知ピンドライブピン９がタンブラスプリング１４により中心方向に付勢されて挿入される。
【００２５】
また、検知ピン１２は、図４（ｂ）に示すように、正規位置まで差し込まれた運用キー１０Ａに一端が当接した状態で他端がケース４側に飛び出す寸法に形成されており、ケース４の内周には、検知ピン１２がケース４側に最大突出するとき、すなわち、検知ピン１２の一端がキー挿入溝７ａの側面に一致する場合でも該検知ピン１２の他端を収容可能なストローク規制溝１３が凹設される。このストローク規制溝１３は、ロータ７が施錠位置から解錠位置に至るまでの回転ストロークに対応しており、運用キー１０Ａを使用した状態で、施錠位置側の回転ストロークの終端は上記検知ピン１２とこのストローク規制溝１３の終端壁により、解錠位置側の回転ストローク終端は、ロータ７に固定されるレバー１５とケース４側から突設されるストッパ突起４ｂにより決定される（図１参照）。
【００２６】
図３（ａ）に示す施錠回転位置から解錠回転位置側に向けて時計回りにロータ７を回転させると、検知ピンドライブピン９は、検知ピン１２の支えを失って先端がロータ７の外周に当接するまで移動する。この後、ロータ７を再び解錠回転位置までの復帰させる際に、検知ピンドライブピン９が検知ピン１２の移動経路を閉塞することのないように、検知ピンドライブピン９の先端は検知ピン１２に衝接した際に外方への分力が発生するように、円錐形状に形成される。
【００２７】
さらに、ケース４には、副ドライバピン収容孔２が設けられ、副ドライバピン収容孔２内にはタンブラピン６により中心方向に付勢されるドライバピン３が収容される。副ドライバピン収容孔２は、上記通常運用時に使用される回転領域以外の領域に設定され、図４（ｂ）に示すように、この実施の形態においては、施錠回転位置から解錠回転位置側に対して反対方向に所定角度回転させた位置に設定される。
【００２８】
ロータ７をタンブラピン６が副ドライバピン収容孔２に正対する位置まで回転させるために、コード変更用キー１０Ｂが用意される。コード変更用キー１０Ｂには、運用キー１０Ａと同様に所定箇所に形成される解錠コード形成凹部１０ａに加え、検知凹部１１が設けられる。検知凹部１１は、図５（ａ）に示すように、コード変更用キー１０Ｂを正規位置まで差し込んだ状態で検知ピン１２に正対する位置に設けられる。この検知凹部１１は、検知ピン１２の先端が落ち込んだ際に、検知ピン１２の他端がロータ７の外周に一致する深さ寸法に設定されており、この状態で検知ピン１２により形成されていたロータ７の回転ストローク規制は解消され、ロータ７の反対方向への回転操作が許容される。ロータ７の反対方向への回転角度は、図１に示すように、ロータ７に固定されるレバー１５と、ケース４側のストッパ突起４ｂにより規制される。
【００２９】
以上のように構成されるシリンダ錠のコード変更動作を説明する。コード変更操作に際し、まず、従来使用の運用キー１０Ａと同一の解錠コード形成凹部１０ａを備えたコード変更用キー１０Ｂを挿入する。上述したように、コード変更用キー１０Ｂの挿入により、検知ピン１２によるストローク規制は解除され、この後、通常の運用時とは反対方向にロータ７を回転させてタンブラ収容孔５を副ドライバピン収容孔２に正対させる。このとき、コード変更体８の付勢追随、取り残し等の不具合を防止するために、変更位置への移動に先立って、まず、解錠位置側に一旦回転操作するのが望ましい。
【００３０】
以上のようにしてロータ７を変更位置に回転させた後、次いで、図５（ｂ）に示すように、変更前の変更キーを抜去し、変更後の解錠コードを有する変更キーに交換する。上述したように、コード変更は、コード変更体８をタンブラ収容孔５と副ドライバピン収容孔２との間で移動させることにより行われ、図４（ａ）、図６（ａ）の上方に示すように、解錠コード形成凹部１０ａが深いものに変更する場合には、コード形成体はドライバピン３により副ドライバピン収容孔２から押し出されてタンブラ収容孔５内に移動する。これに対し、図４（ａ）、図６（ａ）において下半分に示されるように、解錠コード形成凹部１０ａが浅いものに変更する場合には、コード形成体は、挿入されたキーによりタンブラ収容孔５から副ドライバピン収容孔２内に押し出され、この後、再びロータ７を施錠回転位置側に回転させると、コード形成体は、移動が不可能となるために、変更状態が維持される。
【００３１】
ロータ７を施錠回転位置に復帰させて変更キーを抜去すると、以後、図６（ｂ）に示すように、下方のタンブラピン６に対しては浅い解錠コード形成凹部１０ａによってのみ、回転可能位置まで駆動することができるようになる。
【図面の簡単な説明】
【００３２】
【図１】本発明を示す図で、（ａ）は断面図、（ｂ）は（ａ）の１Ａ方向矢視図である。
【図２】図１（ｂ）の２Ａ-２Ａ線断面図である。
【図３】施錠位置における断面図で、（ａ）は図１（ａ）の３Ａ-３Ａ線断面図、（ｂ）は３Ｂ-３Ｂ線断面図である。
【図４】真正な運用キーを挿入した状態を示す図で、（ａ）は図３（ａ）に対応する図、（ｂ）は図３（ｂ）に対応する図である。
【図５】コード変更動作を示す図で、（ａ）はコード変更キーを挿入した状態を示す図、（ｂ）はコード変更キーの交換のためにコード変更キーを抜去した状態を示す断面図である。
【図６】コード変更動作を示す図で、（ａ）は新たなコード変更用キーを挿入した状態を示す断面図、（ｂ）はコード変更後を示す断面図である。
【符号の説明】
【００３３】
１        ドライバピン収容孔
２        副ドライバピン収容孔
３        ドライバピン
４        ケース
５        タンブラ収容孔
６        タンブラピン
７        ロータ
８        コード変更体
９        検知ピンドライブピン
１０      解錠キー
１１      検知凹部
１２      検知ピン
１３      ストローク規制溝
【図１】
2005076267.tif 000003
【図２】
2005076267.tif 000004
【図３】
2005076267.tif 000005
【図４】
2005076267.tif 000006
【図５】
2005076267.tif 000007
【図６】
2005076267.tif 000008